(57)【要約】【課題】一例としては、より部品数を減らすことが可能な新規な構成を有した映像表示装置を得る。【解決手段】実施形態にかかる映像表示装置では、固定部材は、支持部の第一の部材および第二の部材と重なる。また、固定部材には、第一の開口部ならびに第二の開口部と重なった第三の開口部と第一の部材および第二の部材から露出して他の部材と固定されうる固定部とが設けられる。結合部材には、固定具が貫通可能な貫通部が設けられる。また、結合部材は、第一の開口部と第二の開口部と第三の開口部とを貫通して第一の部材と第二の部材と固定部材とを結合する。第二の部分は、支持部が載置面上に載置された場合に第一の部分から載置面とは反対側に突出し筐体と接続される。【選択図】図４
2014157283.tif 000002
【特許請求の範囲】
【請求項１】
表示画面を有した表示装置を支持した筐体と、
前記筐体を支持した支持部と、
を備え、
前記支持部は、
第一の開口部が設けられた第一の部材と、当該第一の部材と重なるとともに前記第一の開口部と重なった第二の開口部が設けられた第二の部材と、前記第一の部材および前記第二の部材と重なるとともに前記第一の開口部ならびに前記第二の開口部と重なった第三の開口部と他の部材に固定されうる固定部とが設けられた固定部材と、固定具が貫通可能な貫通部が設けられ前記第一の開口部と前記第二の開口部と前記第三の開口部とを貫通して前記第一の部材と前記第二の部材と前記固定部材とを結合した結合部材と、を有した第一の部分と、
前記支持部が載置面上に載置された場合に前記第一の部分から前記載置面とは反対側に突出し前記筐体と接続された第二の部分と、
を有した、映像表示装置。
【請求項２】
前記結合部材は、前記第二の部分の前記表示画面とは反対側に位置された、請求項１に記載の映像表示装置。
【請求項３】
前記結合部材は、前記第二の部分と離間して位置された、請求項２に記載の映像表示装置。
【請求項４】
前記支持部は、前記第一の部分の周縁部に位置され前記支持部が前記載置面上に載置された場合に前記第一の部分から前記載置面側に突出する複数の第一の突出部と、前記複数の第一の突出部に囲まれて位置され前記支持部が前記載置面上に載置された場合に前記第一の部分から前記載置面側に突出する複数の第二の突出部と、を有し、
前記結合部材は、前記複数の第二の突出部に囲まれるとともに当該複数の第二の突出部から離間して位置された、請求項１〜３のうちいずれか一つに記載の映像表示装置。
【請求項５】
表示画面を有した表示装置を支持した筐体と、
前記筐体を支持した支持部と、
を備え、
前記支持部は、
第一の開口部が設けられた第一の部材と、当該第一の部材と重なるとともに前記第一の開口部と重なった第二の開口部が設けられた前記第二の部材と、固定具が貫通可能な貫通部が設けられ前記第一の開口部と前記第二の開口部とを貫通して前記第一の部材と前記第二の部材とを結合した結合部材と、を有した第一の部分と、
前記支持部が載置面上に載置された場合に前記第一の部分から前記載置面とは反対側に突出し前記筐体と接続された第二の部分と、
前記支持部が前記載置面上に載置された場合に前記第一の部分から前記載置面側に突出した複数の突出部と、
を有し、
前記結合部材は、前記複数の突出部で囲まれるとともに当該複数の突出部から離間して位置された、映像表示装置。
【請求項６】
表示画面を有した表示装置を支持した筐体と、
前記筐体を支持した支持部と、
を備え、
前記支持部は、
載置面上に載置されうる載置部と、
前記載置部に覆われる部位で当該載置部に接続されるとともに他の部材に固定されうる固定部が設けられた固定部材と、
前記載置部と前記固定部材とを貫通し、前記載置部と前記固定部材とを結合し、固定具が貫通可能な貫通部が設けられた結合部材と、
前記支持部が前記載置面上に載置された場合に前記載置部から前記載置面側に突出した複数の突出部と、
を有し、
前記結合部材は、前記複数の突出部で囲まれるとともに当該複数の突出部から離間して位置された、映像表示装置。
【請求項７】
表示画面を有した表示装置を支持した筐体と、
前記筐体を支持した支持部と、
を備え、
前記支持部は、
第一の開口部が設けられた第一の部材と、当該第一の部材と重なるとともに前記第一の開口部と重なった第二の開口部が設けられた第二の部材と、固定具が貫通可能な貫通部が設けられ前記第一の開口部と前記第二の開口部とを貫通して前記第一の部材と前記第二の部材とを結合した結合部材と、を有した第一の部分と、
前記支持部が載置面上に載置された場合に前記第一の部分から前記載置面とは反対側に突出され前記筐体と接続された第二の部分と、
を有した、映像表示装置。
【発明の詳細な説明】
【技術分野】
【０００１】
本発明の実施形態は、映像表示装置に関する。
【背景技術】
【０００２】
従来、筐体を支持する支持部と他の部材とを固定する固定部材を備えた映像表示装置が知られている。
【先行技術文献】
【特許文献】
【０００３】
【特許文献１】特開２０１２−０７８８５４号公報
【発明の概要】
【発明が解決しようとする課題】
【０００４】
この種の映像表示装置は、例えば、支持部と固定部材とを結合する部品の他に、支持部に含まれる複数の部材を結合する部品や、支持部と他の部材とを直接的に固定するのに用いられる部品等を含む場合がある。これらの部品を統合できれば好ましい場合がある。
【０００５】
そこで、本発明の実施形態は、一例としては、より部品数を減らすことが可能な新規な構成を有した映像表示装置を得ることを目的の一つとする。
【課題を解決するための手段】
【０００６】
本発明の実施形態にかかる映像表示装置は、筐体と、支持部と、を備える。筐体は、表示画面を有した表示装置を支持する。支持部は、筐体を支持し、第一の部分と、第二の部分と、を有する。第一の部分は、第一の部材と、第二の部材と、固定部材と、結合部材と、を有する。第一の部材には、第一の開口部が設けられる。第二の部材は、第一の部材と重なる。また、第二の部材には、第一の開口部と重なった第二の開口部が設けられる。固定部材は、第一の部材および第二の部材と重なる。また、固定部材には、第一の開口部ならびに第二の開口部と重なった第三の開口部と他の部材に固定されうる固定部とが設けられる。結合部材には、固定具が貫通可能な貫通部が設けられる。また、結合部材は、第一の開口部と第二の開口部と第三の開口部とを貫通して第一の部材と第二の部材と固定部材とを結合する。第二の部分は、支持部が載置面上に載置された場合に第一の部分から載置面とは反対側に突出し筐体と接続される。
【図面の簡単な説明】
【０００７】
【図１】図１は、第１実施形態にかかる映像表示装置の一例を前側から見た斜視図である。
【図２】図２は、第１実施形態にかかる映像表示装置の一例の支持部を後側かつ上側から見た斜視図である。
【図３】図３は、第１実施形態にかかる映像表示装置の一例の支持部を下側（裏側）から見た斜視図であって、図２に対応する状態の図である。
【図４】図４は、図２のIV−IV断面図である。
【図５】図５は、第１実施形態にかかる映像表示装置の一例の支持部を後側かつ上側から見た斜視図であって、固定部材の姿勢が図２とは異なる図である。
【図６】図６は、第１実施形態にかかる映像表示装置の一例の支持部を下側（裏側）から見た斜視図であって、図５に対応する状態の図である。
【図７】図７は、第２実施形態にかかる映像表示装置の一例の支持部の図４と同等位置での断面図である。
【図８】図８は、第２実施形態にかかる映像表示装置の一例の支持部を下側（裏側）から見た斜視図である。
【発明を実施するための形態】
【０００８】
以下の例示的な複数の実施形態や変形例には、同様の構成要素が含まれている。よって、以下では、同様の構成要素には共通の符号が付されるとともに、重複する説明が省略される。また、以下の各図では、便宜上、方向が規定されている。テレビジョン受像機１の筐体３が支持部２に対する可動範囲の中央位置（中立位置）にある状態において（図１）、Ｘ方向は、表示画面４ａに対する正面視（前面視）で右方（背面視（後面視）では左方）、Ｙ方向は、上方、Ｚ方向は、表示画面４ａの法線方向（手前方向）である。なお、本実施形態では、一例として、Ｙ方向は、テレビジョン受像機１の支持部２が載置面Ｐ（平面、載置平面、ＸＺ平面、図４参照）上に載せられた場合の当該載置面Ｐの法線方向に沿い、Ｘ方向およびＺ方向は、載置面Ｐと平行である。
【０００９】
また、以下の実施形態や変形例では、映像表示装置がテレビジョン受像機として構成された場合が例示されるが、本実施形態にかかる映像表示装置は、これには限定されない。本実施形態にかかる映像表示装置は、支持部を含むスタンドを有した電子機器、具体的には、例えば、所謂オールインワン（ＡＩＯ）タイプのパーソナルコンピュータや、スマートテレビ、ディスプレイ装置、モニタ装置等として構成されることができる。
【００１０】
＜第１実施形態＞
本実施形態では、一例として、図１に示されるように、テレビジョン受像機１（映像表示装置、電子機器）は、支持部２と筐体３とを備える。筐体３は、表示装置４を支持している。本実施形態では、一例として、表示装置４の少なくとも一部が、筐体３内に収容されている。支持部２（スタンド、台部、脚部）は、筐体３を支持する。支持部２は、筐体３を、移動可能（回動可能）に支持することができる。本実施形態では、一例として、支持部２は、筐体３を、支持部２が載置面Ｐ（図４参照）上に載せられた場合における当該載置面Ｐとの直交方向に沿った軸Ａｘ回りに回動可能に支持する。すなわち、筐体３は、支持部２に、スイベル可能に支持されている。
【００１１】
筐体３は、本実施形態では、一例として、図１に示されるように、正面視および背面視では四角形状（本実施形態では、一例として長方形状）に構成されている。また、筐体３は、本実施形態では、一例として、前後方向に薄い扁平な直方体状に構成されている。筐体３は、面３ａ（前面、正面、面部）とこの反対側の面３ｂ（後面、背面、面部）と、を有する。面３ａおよび面３ｂは、いずれも、筐体３の厚さ方向と交叉する方向（本実施形態では、一例として直交する方向、ＸＹ平面）に沿って延びている（拡がっている）。面３ａと面３ｂとは略平行である。また、筐体３は、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１２】
また、筐体３は、一例として、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、筐体３は、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。また、本実施形態では、一例として、開口部３ｒは、透明な板状の部材３ｓ（部分、プレート、マスク、カバー、ガラス）で覆われている。
【００１３】
さらに、筐体３は、複数の部品（分割体）が組み合わせられて構成されることができる。筐体３は、本実施形態では、一例として、少なくとも壁部３ｋを含む筐体部材１１（前側部材、マスク、マスク部、カバー、フロントカバー、カバー部、部分、領域）と、少なくとも壁部３ｍを含む筐体部材１２（後側部材、ベース、ベース部、ボトム、ボトム部、カバー、リヤカバー、カバー部、部分、領域）とを有する。壁部３ｎは、筐体部材１１および筐体部材１２のうち少なくともいずれか一方（例えば、筐体部材１２）に含まれる。また、筐体３は、筐体部材１１と筐体部材１２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。筐体３は、金属材料や合成樹脂材料等で構成されうる。なお、筐体部材１１や筐体部材１２の筐体３内側には、リブ等の壁部（突出部、突出壁部、図示されず）が設けられることができる。これら壁部により、筐体３の剛性が高まりやすい。
【００１４】
また、本実施形態では、一例として、筐体３の面３ａ，３ｂ，３ｐには、コネクタや、操作部、カメラモジュール（カメラ、撮像装置）等（図示されず）が設けられることができる。コネクタは、例えば、電源ケーブル用のコネクタや、ＵＳＢ（universal serial bus）コネクタ、カードコネクタ、イヤホンやマイクのコネクタ等であることができる。操作部は、例えば、押しボタンや、押しスイッチ、スライドスイッチ、ポインティングデバイス、ダイヤル等であることができる。
【００１５】
また、本実施形態では、一例として、図１に示されるように、表示装置４（表示部、ディスプレイ、パネル）の、面３ａ側に位置した表示画面４ａは、開口部３ｒおよび部材３ｓを介して筐体３の前方（外方）から視認可能である。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１６】
また、本実施形態では、一例として、表示装置４の前側（表側、壁部３ｋ側）に、タッチパネル５（一例としては入力操作パネル、タッチセンサ、操作部）が設けられることができる。タッチパネル５は、一例としては部材３ｓの裏側（表示装置４側、背面側、後面側）に設けることができる。この場合、タッチパネル５は、透明な比較的薄い四角形状に構成され、表示画面４ａを覆っている。ユーザ等は、例えば、手指や部品（例えばスタイラス等、図示されず）等でタッチパネル５に対して、触れる、押す、擦る、あるいは手指やスタイラス等をタッチパネル５の近傍で動かす、等の操作を行うことで、入力処理を実行することができる。また、表示装置４の表示画面４ａから出た光は、壁部３ｋの開口部３ｒからタッチパネル５および部材３ｓを通過（透過）して筐体３の前方（外方）へ出る。
【００１７】
そして、本実施形態では、一例として、筐体３内には、表示装置４の後側（裏側、背後側、壁部３ｍ側、表示画面４ａとは反対側）に、一つ以上の基板（回路基板、制御基板、メイン基板、電気部品、部品、図示されず）が収容されている。基板は、表示装置４と略平行に設けられている。基板は、表示装置４の裏面（図示されず）に当該裏面と間隔をあけて固定されることができる。基板は、壁部３ｋ，３ｍ，３ｎ等と離間した状態で、すなわち、壁部３ｋ，３ｍ，３ｎ等との間に空間（隙間）が形成された状態で、設けられている。
【００１８】
また、本実施形態では、一例として、基板には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。筐体３内には、複数の基板が収容されることができる。また、筐体３内には、基板に設けられていない電気部品や電子部品が収容されることもできる。
【００１９】
また、本実施形態では、一例として、図２〜６に示されるように、支持部２（支持構造、スタンド）は、複数の部分（第一の部分２１，第二の部分２２）と固定部材２３，２４とを備えている。
【００２０】
図１に示されるように、第一の部分２１（載置部）は、支持部２（テレビジョン受像機１）が載置面Ｐ上に置かれた状態で当該載置面Ｐと垂直な方向（Ｙ方向）の視線（平面視）で四角形状の外観を呈している。本実施形態では、一例として、支持部２は、平面視では、Ｘ方向に長くＺ方向に短い長方形状の外観を呈している。また、第一の部分２１の載置面Ｐと垂直な方向の高さ（厚さ）は、比較的低く構成されている。すなわち、第一の部分２１は、扁平な薄い直方体状に構成されるとともに、四角形状の板状に構成されている。
【００２１】
図２，３に示されるように、第一の部分２１は、面２１ａ（面部、上面、頂面、表面）と、面２１ｂ（面部、下面、底面、裏面）と、を有する。また、第一の部分２１は、四つの辺部２１ｃ〜２１ｆ（端部、周縁部）と、四つの角部２１ｇ〜２１ｊ（端部、周縁部）と、を有する。辺部２１ｃ，２１ｅは長辺の一例であり、辺部２１ｄ，２１ｆは、短辺の一例である。
【００２２】
また、図１〜６に示されるように、第一の部分２１は、複数の部材を有している。本実施形態では、一例として、第一の部分２１は、第一の部材２５と、第二の部材２６と、第三の部材２７と、第四の部材２８と、結合部材２９と、固定部材２３と、を有する。
【００２３】
図３に示されるように、第一の部材２５（ベース、ベース部、ベース部材）は、四角形状（Ｘ方向に長くＺ方向に短い長方形状）かつ板状に構成されている。また、図２，４に示されるように、第二の部材２６（カバー、カバー部、カバー部材）は、第一の部材２５の載置面Ｐとは反対側（上方）を覆っている。第二の部材２６は、壁部２６ａと壁部２６ｂとを有する。壁部２６ａは、第一の部材２５の載置面Ｐとは反対側（上方）に位置され、四角形状かつ板状に構成されている。すなわち、第一の部材２５と第二の部材２６（の壁部２６ａ）とが、載置面Ｐと交叉する方向（垂直な方向）に互いに重なっている。また、複数（本実施形態では、一例として四つ）の壁部２６ｂは、壁部２６ａの周縁部から載置面Ｐ側へ延びて第一の部材２５の周縁部（の側方）を覆っている。すなわち、支持部２が載置面Ｐ上に載置された状態で、第一の部材２５は、第二の部材２６によって全体的に覆われ、第一の部材２５が露出するのが抑制されている。すなわち、本実施形態では、一例として、第二の部材２６の表面の調整（例えば、鏡面加工、模様の加工、塗装、印刷、フィルム貼付、加飾等）によって、支持部２の第一の部分２１の外観を調整することができる。また、本実施形態では、一例として、図２に示されるように、壁部２６ａの載置面Ｐとは反対側に面２１ａが構成されている。また、図３に示されるように、壁部２５ａの載置面Ｐ側に面２１ｂが構成されている。また、図２，３に示されるように、壁部２６ａの周縁部ならびに壁部２６ｂが、辺部２１ｃ〜２１ｆならびに角部２１ｇ〜２１ｊを構成している。図４に示されるように、第一の部材２５と第二の部材２６とは、接着層３０を介して互いに接着されている。第一の部材２５および第二の部材２６は、例えば、金属材料あるいは合成樹脂材料等で構成されうる。
【００２４】
図２，４に示されるように、第三の部材２７は、第一の部分２１から載置面Ｐとは反対側（上方）に突出している。また、第三の部材２７は、第四の部材２８（図１参照）で覆われている。これら第三の部材２７、ならびに第四の部材２８は、第二の部分２２（突出部）の少なくとも一部を構成している。第三の部材２７および第四の部材２８のうちいずれか一方（例えば、第三の部材２７）が、直接的（他の部材を介さず）あるいは間接的に（他の部材を介して）、筐体３と接続（結合）されている。
【００２５】
第三の部材２７は、一例としては円柱状に構成されている。図４に示されるように、第三の部材２７は、第二の部材２６（の壁部２６ａ）に設けられた一例として円形状の開口部２６ｃを貫通し、第一の部材２５に固定されている。第三の部材２７は、例えば、ねじ留めや、圧入、溶接等されることで、当該第一の部材２５と固定（接続、結合）されている。図１，２から明らかとなるように、開口部２６ｃと第三の部材２７との間の隙間２６ｄの少なくとも一部は、第四の部材２８によって埋められている。第三の部材２７および第四の部材２８は、例えば、金属材料あるいは合成樹脂材料等で構成されうる。
【００２６】
また、本実施形態では、一例として、図２〜４に示されるように、支持部２には、固定部材２３が一体的に含まれている。具体的には、固定部材２３は、第一の部分２１の載置面Ｐ側に、結合部材２９によって取り付けられている。
【００２７】
図３，４に示されるように、固定部材２３は、細長い帯状かつ板状（ベルト状）に構成され、可撓性を有している。固定部材２３は、例えば、合成樹脂材料やエラストマ等で構成されうる。固定部材２３には、固定具（例えばねじ等、図示されず）が挿通可能な複数の開口部２３ａ（固定部）が設けられている。これら開口部２３ａは、固定部材２３の長手方向に沿って、一定のピッチ（間隔）で設けられている。固定部材２３は、第一の部分２１に、回動可能に固定（接続、結合）されている。本実施形態では、一例として、図２〜４に示されるように、固定部材２３は、第一の部分２１から露出する部分が短い状態（位置Ｐ１、角度）と、図５，６に示されるように、少なくとも、第一の部分２１から露出する部分が長い状態（位置Ｐ２、角度）との間で、載置面Ｐあるいは面２１ｂに沿って回動することができる。なお、固定部材２３の回動方向や回動範囲（回動角度）は、例えば、第一の部材２５および固定部材２３のうち少なくとも一方に、凹凸構造等の引っ掛かりを設けることによって、適宜に設定することができる。
【００２８】
また、固定部材２３は、結合部材２９によって、支持部２（の第一の部分２１）に回動可能に結合（接続、支持）されている。具体的には、図４に示されるように、ワッシャ３１と、固定部材２３の少なくとも一部（第一の部分２１によって覆われた部位）と、第一の部材２５と、第二の部材２６とが、この順に、載置面Ｐと交叉する方向（本実施形態では、一例として載置面Ｐとの直交方向、載置面Ｐの法線方向、第一の部分２１の厚さ方向、Ｙ方向）に重なっている。また、ワッシャ３１の開口部３１ａと、固定部材２３に設けられた開口部２３ｂの少なくとも一部と、第一の部材２５に設けられた開口部２５ｂの少なくとも一部と、第二の部材２６に設けられた開口部２６ｅの少なくとも一部とが、この順に、載置面Ｐと交叉する方向に重なっている。これら開口部３１ａ，２３ｂ，２５ｂ，２６ｅは、いずれも、一例としては円形状の貫通孔として構成されうる。そして、結合部材２９が、これら開口部３１ａ，２３ｂ，２５ｂ，２６ｅを、載置面Ｐと交叉する方向に貫通している。結合部材２９は、一例としては、筒状部２９ａと、フランジ部２９ｂと、を有する。筒状部２９ａは、一例としては、円筒状に構成されうる。フランジ部２９ｂは、筒状部２９ａの長手方向（軸方向）の端部で径方向の外側に延びている（突出している、広がっている）。フランジ部２９ｂは、円環状かつ板状に構成されている。結合部材２９は、一例としては、バーリングかしめによって、図４に示される状態（形状、構成）となる。結合部材２９が設けられた部分では、二つのフランジ部２９ｂ間に、ワッシャ３１と、固定部材２３と、第一の部材２５と、第二の部材２６と、が挟まれる。このような構成において、二つのフランジ部２９ｂ間の寸法が適宜に設定され、かつ固定部材２３が適宜な可撓性を有している（弾性を有している、弾性変形可能である、柔軟である）ことにより、固定部材２３は、ユーザの操作によって筒状部２９ａ回りに回動されうる。
【００２９】
このように、本実施形態では、一例として、（１）結合部材２９は、固定部材２３を少なくとも位置Ｐ１と位置Ｐ２との間で回動可能に支持している。また、（２）結合部材２９の筒状部２９ａの筒内側の貫通部２９ｃ（貫通孔、開口部）には、固定具３２（ねじ等、図４参照）が貫通される。さらに、上述したように、（３）結合部材２９は、固定部材２３と第一の部材２５と第二の部材２６とを一体化している（結合している）。すなわち、本実施形態では、一例として、結合部材２９は、これら（１）〜（３）の三つの機能を担っている。よって、本実施形態によれば、これら三つの機能が別の部材あるいは別の位置で達成される構成に比べて、例えば、部品数が減りやすい、装置構成がより小型化されやすい、部品のレイアウトの制約が減りやすい等の利点がある。
【００３０】
また、本実施形態では、一例として、図２，４に示されるように、結合部材２９は、第二の部分２２の表示画面４ａとは反対側に位置されている。よって、本実施形態によれば、一例としては、表示画面４ａの正面側からは、結合部材２９（の貫通部２９ｃ）や貫通部２９ｃを貫通する固定具３２（の頭部）が、第二の部分２２によって隠されやすい。よって、一例としては、美観が向上されやすい等の利点がある。
【００３１】
また、本実施形態では、結合部材２９は、固定具３２によって載置面Ｐを構成する部材（例えば、台の天板）に固定されると、載置面Ｐと接触する。一方、第二の部分２２には、載置面Ｐ側に向けて表示装置４を含む筐体３の重量に基づく荷重（重力）が作用している。ここで、仮に、結合部材２９と第二の部分２２とが互いに隣接して（近接して）配置されていると、第一の部分２１の結合部材２９と第二の部分２２との間の部位は撓み難くなる。よって、第二の部分２２から第一の部分２１に作用する筐体３の重量による荷重が、第一の部分２１で分散され難くなり、第一の部分２１が局所的に載置面Ｐから浮いたり、第一の部分２１にがたつきが生じたりする虞がある。この点、本実施形態では、一例として、結合部材２９は、第二の部分２２と離間して位置されている。よって、本実施形態によれば、一例としては、このような不都合な事象が生じ難い。
【００３２】
また、本実施形態では、一例として、図３，６に示されるように、第一の部分２１の面２１ｂには、当該面２１ｂから載置面Ｐ（図４参照）側に突出した突出部３３，３４が設けられている。具体的に、複数（本実施形態では、一例として四つ）の突出部３３（第一の突出部）は、第一の部分２１の角部２１ｇ〜２１ｊのそれぞれに配置されている。すなわち、突出部３３は、それぞれ、第一の部分２１の周縁部に位置されている。また、複数（本実施形態では、一例として四つ）の突出部３４（第二の突出部）は、複数の突出部３３に囲まれて配置されている。すなわち、本実施形態では、一例として、複数の突出部３３，３４が載置面Ｐと接触し、面２１ｂは、撓みが大きい場合を除き、載置面Ｐとは接触しない。そして、本実施形態では、一例として、結合部材２９は、複数の突出部３４に囲まれた領域Ａｒ内に位置されている。よって、一例としては、結合部材２９を介して例えば振動入力等の外力が入力された場合にあっても、支持部２は、テレビジョン受像機１をより安定的に支持しやすい。また、仮に、結合部材２９が複数の突出部３４に取り囲まれた領域Ａｒ外に位置された構成では、結合部材２９が固定具３２によって載置面Ｐを構成する部材に固定された際に、仮に固定具３２が載置面Ｐの直交方向から傾いて固定され、これにより、第一の部分２１の結合部材２９が設けられた部位が載置面Ｐに対して傾いた（平行にならない）状態になると、結合部材２９から遠い側の突出部３４が載置面Ｐから浮いたり、第一の部分２１にがたつきが生じたりする虞がある。この点、本実施形態では、一例として、結合部材２９は、複数の突出部３４に囲まれるとともに、当該複数の突出部３４と離間されている。よって、本実施形態によれば、一例としては、このような不都合な事象が生じ難い。なお、突出部３３，３４は、一例としては、エラストマ等で構成される。また、突出部３３，３４は、一例としては、面２１ｂの平坦な部分に接着等されて結合されている（取り付けられている）。
【００３３】
また、本実施形態では、一例として、第一の部分２１の辺部２１ｅには、環状に構成された二つの固定部材２４が設けられている。固定部材２３は、二つの固定部材２４，２４間に位置されている。
【００３４】
以上、説明したように、本実施形態では、一例として、結合部材２９は、第一の部材２５と第二の部材２６と（固定部材２３と）を結合するとともに、固定具３２の取付部位として機能し、さらに固定部材２３を回動可能に支持する。よって、本実施形態によれば、一例としては、これら三つの機能が別の部材あるいは別の位置で達成される構成に比べて、例えば、部品数が減りやすい、装置構成がより小型化されやすい、部品のレイアウトの制約が減りやすい等の利点がある。
【００３５】
また、本実施形態では、一例として、結合部材２９は、第二の部分２２の表示画面４ａとは反対側に位置される。よって、本実施形態によれば、一例としては、結合部材２９や固定具３２が第二の部分２２の背後に位置されて表示画面４ａの正面側から見え難い。
【００３６】
また、本実施形態では、一例として、結合部材２９は、第二の部分２２と離間して位置される。よって、本実施形態によれば、一例としては、結合部材２９と第二の部分２２とが隣接して（近接して）位置された構成に比べて、第一の部分２１の局所的な浮きやがたつき等の不都合な事象が生じ難い。
【００３７】
また、本実施形態では、一例として、結合部材２９は、複数の突出部３４（第二の突出部）に囲まれるとともにそれら複数の突出部３４から離間して位置される。よって、本実施形態によれば、一例としては、結合部材２９を介して例えば振動入力等の外力が入力された場合にあっても、支持部２は、テレビジョン受像機１をより安定的に支持しやすい。また、本実施形態によれば、一例としては、結合部材２９が複数の突出部３４に囲まれた領域Ａｒの外に位置されたり突出部３４に隣接して（近接して）位置されたりした場合に比べて、第一の部分２１の局所的な浮きやがたつき等の不都合な事象が生じ難い。
【００３８】
＜第２実施形態＞
図７，８に示されるように、本実施形態にかかるテレビジョン受像機１Ａの第一の部分２１Ａでは、一例として、結合部材２９Ａは、第一の部材２５と第二の部材２６とを結合するものの、固定部材２３を結合しない。ただし、本実施形態でも、一例として、結合部材２９Ａの貫通部２９ｃを貫通した固定具３２は、固定部材２３に設けられた開口部２３ｂを貫通して、載置面Ｐを構成する部材（図示されず）に固定される。したがって、本実施形態では、一例として、固定部材２３は、第一の部分２１Ａには、結合部材２９Ａによっては一体化されていないものの、第一の部分２１Ａが固定部材２３とともに固定具３２を用いて載置面Ｐを構成する部材に固定された状態では、上記第１実施形態とほぼ同様の構成が得られる。すなわち、本実施形態によっても、一例としては、結合部材２９Ａによる機能共用化の利点が得られる。また、本実施形態でも、一例としては、結合部材２９Ａは、第二の部分２２と離間して位置される。よって、本実施形態によっても、一例としては、結合部材２９Ａと第二の部分２２とが隣接して（近接して）位置された構成に比べて、第一の部分２１Ａの局所的な浮きやがたつき等の不都合な事象が生じ難い。また、本実施形態でも、一例としては、結合部材２９Ａは、複数の突出部３４（第二の突出部）に囲まれるとともにそれら複数の突出部３４から離間して位置される。よって、本実施形態によっても、一例としては、結合部材２９Ａを介して例えば振動入力等の外力が入力された場合にあっても、支持部２Ａは、テレビジョン受像機１Ａをより安定的に支持しやすい。また、本実施形態によっても、一例としては、結合部材２９Ａが複数の突出部３４に囲まれた領域Ａｒの外に位置されたり突出部３４に隣接（近接）して位置されたりした場合に比べて、第一の部分２１Ａの局所的な浮きやがたつき等の不都合な事象が生じ難い。
【００３９】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質、色、透明度、屈折率、反射率等）は、適宜に変更して実施することができる。例えば、複数の第二の突出部（突出部）のレイアウトや数は適宜に変更して実施することができる。
【符号の説明】
【００４０】
１，１Ａ…テレビジョン受像機（映像表示装置）、２，２Ａ…支持部、３…筐体、４…表示装置、４ａ…表示画面、２１，２１Ａ…第一の部分（載置部）、２１ｃ〜２１ｆ…辺部（周縁部）、２１ｇ〜２１ｊ…角部（周縁部）、２２…第二の部分、２３…固定部材、２３ａ…開口部（固定部）、２３ｂ…開口部（第三の開口部）、２５…第一の部材、２５ｂ…開口部（第一の開口部）、２６…第二の部材、２６ｅ…開口部（第二の開口部）、２９，２９Ａ…結合部材、２９ｃ…貫通部、３２…固定具、３３…突出部（第一の突出部）、３４…突出部（第二の突出部）。
【図１】
2014157283.tif 000003
【図２】
2014157283.tif 000004
【図３】
2014157283.tif 000005
【図４】
2014157283.tif 000006
【図５】
2014157283.tif 000007
【図６】
2014157283.tif 000008
【図７】
2014157283.tif 000009
【図８】
2014157283.tif 000010